(57)【要約】    【課題】電気錠コントローラの解錠制御により解錠される電気錠に関するログ情報を保存しておき、ノイズ等の発生により電気錠コントローラが誤動作した場合、その原因の特定を容易として早急な対応を可能にする。    【解決手段】電気錠１を解錠させるための周辺機器しての解錠ボタン２のスイッチ２００、暗証解錠装置３のキーボタン３０１、インターホン親機４の解錠ボタン４０１や電気錠コントローラ５の解錠ボタン５０１にて解錠操作が行われた旨のログ情報、例えば、電気錠コントローラのリアルタイムクロック５０７にて計時されている時刻、解錠操作が行われた機器名、電気錠が正常に解錠されたか否かの情報、暗証解錠装置のキーボタンにてキー入力されたキーボタン情報と電気錠コントローラの暗証番号スイッチ５０６の操作により予め設定されている所定の暗証番号とが一致したか否かの情報からなるログ情報を電気錠コントローラのメモリ５０８内のログ保存領域５０８ａに保存させ、このログ保存領域に保存されているログ情報をインターホン親機のモニタ４０２に表示する。  【選択図】図１
2006152712.tif 000002
【特許請求の範囲】
【請求項１】
玄関に設置された電気錠（１）を解錠させるための周辺機器としての前記電気錠を住戸戸内から解錠する解錠ボタン（２）、前記電気錠を住戸外から解錠する暗証解錠装置（３）、前記電気錠を住戸内から解錠するインターホン親機（４）と、前記周辺機器からの信号を受信し、前記電気錠の解錠制御を行うための電気錠コントローラ（５）とを備え、
前記電気錠コントローラは、前記解錠ボタンのスイッチ（２００）が操作されたことを検出するためのスイッチ検出回路（５０３）と、前記暗証解錠装置のキーボタン（３０１）を操作したときに送信されるキーボタン信号を受信するための暗証解錠装置用伝送インターフェース（５０４）と、前記インターホン親機の解錠ボタン（４０１）を操作したときに送信される解錠信号を受信するための親機用制御インターフェース（５０５）と、前記周辺機器からの解錠のための信号および前記電気錠コントローラの解錠ボタン（５０１）が操作されたという情報のうち少なくとも１つを保存するためのログ保存領域（５０８ａ）を備えたメモリ（５０８）と、前記メモリ内の情報を前記インターホン親機に送信するための親機用伝送インターフェース(５０９)とを有し、
前記インターホン親機は、前記電気錠コントローラから伝送されてくるログ情報を受信するための親機伝送インターフェース（４０５）と、前記ログ情報を表示するためのモニタ（４０２）とを有することを特徴とする電気錠システム。
【請求項２】
前記電気錠コントローラは、前記暗証解錠装置から伝送されてくるキーボタン情報を暗証番号スイッチ（５０６）にて設定された暗証番号と比較し、一致した場合、前記電気錠を解錠させる機能を有し、受信した前記キーボタン情報が暗証番号と一致、不一致にかかわらず、前記キーボタン情報を前記ログ保存領域に保存するための機能を有することを特徴とする請求項１記載の電気錠システム。
【請求項３】
前記電気錠コントローラは、解錠動作した日時を特定するために、リアルタイムクロック（５０７）を有し、前記ログ保存領域に前記日時を保存する機能を有することを特徴とする請求項１または請求項２記載の電気錠システム。
【請求項４】
前記電気錠コントローラの暗証番号スイッチは、特定の設定状態で前記電気錠コントローラの電源をオンにしたときに前記ログ保存領域に保存されているログ情報を前記インターホン親機に送信する機能を有することを特徴とする請求項２または請求項３記載の電気錠システム。
【請求項５】
前記電気錠コントローラは、前記電気錠を解錠させるための信号を送信したとき解錠しなかった場合に、解錠しなかった情報を前記ログ保存領域に保存する機能を有することを特徴とする請求項１乃至請求項４のうち何れか１項記載の電気錠システム。
【発明の詳細な説明】
【技術分野】
【０００１】
本発明は電気錠システムに係り、特に、電気錠の解錠制御を行う電気錠コントローラの誤動作の原因を容易に特定することができる電気錠システムに関する。
【背景技術】
【０００２】
従来から、玄関（玄関ドア）に設置された電気錠を解錠させるにあたり、その解錠操作機能としては、生体情報をなす指紋の照合を行い、解錠操作に有効な指紋であると認識された場合にのみ暗証番号を入力するような解錠操作機能（例えば、特許文献１を参照。）や、テンキー、ファイブキー等の暗証解錠ボタンにて暗証番号を入力する、（外出用の）解錠ボタンを操作する、居室親機（インターホン親機と同意。）の解錠ボタンを操作するような解錠操作機能（例えば、非特許文献１を参照。）が開示されており、これらの解錠操作機能が正常に能動となると、電気錠コントローラの解錠制御により電気錠を解錠させることができる。
【０００３】
【特許文献１】特開２００４−１１６０２４号公報（段落番号００１７〜００２０等、図１、図２、図３）
【非特許文献１】アイホン総合カタログ２００４−２００５年版（７８頁〜８３頁）
【発明の開示】
【発明が解決しようとする課題】
【０００４】
しかしがら、従来例に開示された照明操作機能を適用するにあたり、電気錠コントローラにてノイズ等が発生すると、電気錠が誤って解錠されるといった誤動作の原因となり、電気錠を解錠させるための周辺機器が前述のように暗証解錠ボタン、（外出用の）解錠ボタン、居室親機のように複数あるため、この原因が何れの周辺機器であるのか、または電気錠コントローラに備えられる周辺機器をそれぞれ接続するための複数のインターフェースのうち何れのインターフェースであるのかを特定することは困難であった。
【０００５】
本発明は、前述の難点を解消するためになされたもので、電気錠コントローラの解錠制御により解錠される電気錠に関するログ情報を保存しておき、ノイズ等の発生により電気錠コントローラが誤動作した場合、その原因の特定を容易として早急な対応が可能となる電気錠システムを提供することを目的としている。
【課題を解決するための手段】
【０００６】
前述の目的を達成するため、請求項１記載の本発明による電気錠システムは、玄関に設置された電気錠を解錠させるための周辺機器としての電気錠を住戸内から解錠する解錠ボタン、電気錠を住戸外から解錠する暗証解錠装置、電気錠を住戸内から解錠するインターホン親機と、周辺機器からの信号を受信し、電気錠の解錠制御を行うための電気錠コントローラとを備えたものである。電気錠コントローラは、解錠ボタンのスイッチが操作されたことを検出するためのスイッチ検出回路と、暗証解錠装置のキーボタンを操作したときに送信されるキーボタン信号を受信するための暗証解錠装置用伝送インターフェースと、インターホン親機の解錠ボタンを操作したときに送信される解錠信号を受信するための親機用制御インターフェースと、周辺機器からの解錠のための信号および電気錠コントローラの解錠ボタンが操作されたという情報のうち少なくとも１つを保存するためのログ保存領域を備えたメモリと、メモリ内の情報をインターホン親機に送信するための親機用伝送インターフェースとを有している。インターホン親機は、電気錠コントローラから伝送されてくるログ情報を受信するための親機伝送インターフェースと、ログ情報を表示するためのモニタとを有したものである。
【０００７】
また、請求項２記載の本発明による電気錠システムは、請求項１記載の当該システムにおいて、電気錠コントローラは、暗証解錠装置から伝送されてくるキーボタン情報を暗証番号スイッチにて設定された暗証番号と比較し、一致した場合、電気錠を解錠させる機能を有し、受信したキーボタン情報が暗証番号と一致、不一致にかかわらず、キーボタン情報をログ保存領域に保存するための機能を有したものである。
【０００８】
また、請求項３記載の本発明による電気錠システムは、請求項１または請求項２記載の当該システムにおいて、電気錠コントローラは、解錠動作した日時を特定するためのリアルタイムクロックを有し、ログ保存領域に日時を保存する機能を有したものである。
【０００９】
また、請求項４記載の本発明による電気錠システムは、請求項２または請求項３記載の当該システムにおいて、電気錠コントローラの暗証番号スイッチは、特定の設定状態で電気錠コントローラの電源をオンにしたときにログ保存領域に保存されているログ情報をインターホン親機に送信する機能を有したものである。
【００１０】
また、請求項５記載の本発明による電気錠システムは、請求項１乃至請求項４のうち何れか１項記載の当該システムにおいて、電気錠コントローラは、電気錠を解錠させるための信号を送信したとき解錠しなかった場合、解錠しなかった情報をログ保存領域に保存する機能を有したものである。
【発明の効果】
【００１１】
本発明の電気錠システムによれば、電気錠を解錠させるための周辺機器しての解錠ボタンのスイッチ、暗証解錠装置のキーボタン、インターホン親機の解錠ボタンや電気錠コントローラの解錠ボタンにて解錠操作が行われた旨のログ情報、例えば、電気錠コントローラのリアルタイムクロックにて計時されている時刻、解錠操作が行われた機器名、電気錠が正常に解錠されたか否かの情報、暗証解錠装置のキーボタンにてキー入力されたキーボタン情報と電気錠コントローラの暗証番号スイッチの操作により予め設定されている所定の暗証番号とが一致したか否かの情報からなるログ情報を電気錠コントローラのメモリ内のログ保存領域に保存させ、このログ保存領域に保存されているログ情報をインターホン親機のモニタに表示することができる。これを確認した住戸内に在室中の居住者は、ノイズ等の発生により電気錠コントローラが誤動作した場合、その原因を容易に特定でき、この特定をもとに早急な対応が可能となる。
【発明を実施するための最良の形態】
【００１２】
以下、本発明の電気錠システムを適用した最良の実施の形態例について、図面を参照して説明する。
【００１３】
図１は、本発明の実施例による電気錠システムの具体的な構成を示すブロック図である。
【００１４】
図１のブロック図に示す電気錠システムは、玄関に設置、通常、住戸内および住戸外の間を居住者や来訪者等が出入りするための玄関ドアに設置され、当該玄関ドアの施解錠を行うための電気錠１と、電気錠１を解錠させるための周辺機器として、居住者が外出等で住戸内を不在とする前に電気錠１の解錠操作を行うための解錠ボタン２、帰宅時等における居住者が住戸外から電気錠１の解錠操作を行うための暗証解錠装置３、解錠ボタン２と同様、住戸内から電気錠１の解錠操作を行うためのインターホン親機４と、住戸内に設置、通常、住戸内の共用部に設置され、解錠ボタンラインＬ2を介して接続された解錠ボタン２、解錠装置ラインＬ3を介して接続された暗証解錠装置３、第１の親機ラインＬ4aを介して接続されたインターホン親機４からの信号（出力信号）をそれぞれ受信し、電気錠ラインＬ1を介して接続された電気錠１を解錠制御するための電気錠コントローラ５とを備えており、前述のインターホン親機４は、第１、第２の各親機ラインＬ4a、Ｌ4bを介して接続された電気錠コントローラ５を制御するための機能を有している。
【００１５】
また、解錠ボタン２は、解錠ボタンラインＬ2に接続され、居住者が外出等で住戸内を不在とする前に電気錠１を解錠するための操作を行うスイッチ２００を有している。
【００１６】
また、暗証解錠装置３は、当該暗証解錠装置の構成各部／回路を制御するためのＣＰＵ（Central Processing Unit、以下、解錠装置ＣＰＵという。）３００と、帰宅時等における居住者が行う電気錠１を解錠するための操作として、予め設定されている所定の暗証番号をキー入力するテンキー、ファイブキー等のキーボタン３０１と、キーボタン３０１の操作を検出した解錠装置ＣＰＵ３００からの出力信号であるキーボタン信号を解錠装置ラインＬ3に送信するための暗証解錠装置伝送インターフェース（以下、解錠装置伝送Ｉ／Ｆという。）３０２とを有している。
【００１７】
また、インターホン親機４は、当該インターホン親機の構成各部／回路を制御するためのＣＰＵ（以下、親機ＣＰＵという。）４００と、住戸内に在室中の居住者が電気錠１を解錠するための操作を行う解錠ボタン（以下、親機解錠ボタンという。）４０１と、電気錠コントローラ５の後述するメモリ５０８内のログ保存領域５０８ａに保存されているログ情報を表示するためのＬＣＤ（Liquid Crystal Display）、有機ＥＬ（Electro Luminescence）ディスプレイ等のモニタ４０２と、モニタ４０２を駆動させて表示可能な状態にするためのモニタ駆動回路４０３と、親機解錠ボタン４０１の操作を検出した親機ＣＰＵ４００からの出力信号である解錠信号を第１の親機ラインＬ4aに送信するためのＪＥＭ−Ａ（日本電機工業会規格）インターフェース等の親機制御インターフェース（以下、親機制御Ｉ／Ｆという。）４０４と、電気錠コントローラ５の後述するＣＰＵ５００の制御によりメモリ５０８内のログ保存領域５０８ａから読み出され第２の親機ラインＬ4bを介して伝送されてくるログ情報を受信し、親機ＣＰＵ４００に送信するための親機伝送インターフェース（以下、親機伝送Ｉ／Ｆという。）４０５とを有している。
【００１８】
さらに、電気錠コントローラ５は、当該電気錠コントローラの構成各部／回路を制御するためのＣＰＵ（以下、コントローラＣＰＵという。）５００と、住戸内に在室中の居住者が電気錠１を解錠するための操作を行う解錠ボタン（以下、コントローラ解錠ボタンという。）５０１と、コントローラＣＰＵ５００にて生成される解錠制御信号を電気錠ラインＬ1を介して電気錠１に送信するための電気錠用伝送インターフェース（以下、電気錠用コントローラ伝送Ｉ／Ｆという。）５０２と、解錠ボタンラインＬ2に接続された解錠ボタン２のスイッチ２００の操作を検出するためのスイッチ検出回路５０３と、解錠装置ラインＬ3を介して伝送されてくる暗証解錠装置３からのキーボタン信号を受信し、コントローラＣＰＵ５００に送信するための暗証解錠装置用伝送インターフェース（以下、解錠装置用コントローラ伝送Ｉ／Ｆという。）５０４と、第１の親機ラインＬ4aを介して伝送されてくるインターホン親機４からの解錠信号を受信し、コントローラＣＰＵ５００に送信するためのＪＥＭ−Ａ（日本電機工業会規格）インターフェース等の親機用制御インターフェース（以下、親機用コントローラ制御Ｉ／Ｆという。）５０５と、解錠装置用コントローラ伝送Ｉ／Ｆ５０４にて受信されたキーボタン信号と照合させる暗証番号等を設定するための暗証番号スイッチ５０６と、電気錠１を解錠させるための周辺機器として、前述の解錠ボタン２（のスイッチ２００）、暗証解錠装置３（のキーボタン３０１）、インターホン親機４（の親機解錠ボタン４０１）にて所定の解錠操作（解錠動作と同意。）が行われた日時やコントローラ解錠ボタン５０１が操作された日時を特定するためのリアルタイムクロック５０７と、電気錠１を解錠させるための周辺機器として、前述の解錠ボタン２（のスイッチ２００）、暗証解錠装置３（のキーボタン３０１）、インターホン親機４（の親機解錠ボタン４０１）にて所定の解錠操作が行われた旨のログ情報やコントローラ解錠ボタン５０１が操作された旨のログ情報のうち少なくとも１つを保存するためのログ保存領域５０８ａが備えられたＲＡＭ（Random Access Memory）、ＥＥＰＲＯＭ（Electrically Erasable Programmable Read Only Memory）等のメモリ５０８と、コントローラＣＰＵ５００の制御によりメモリ５０８内のログ保存領域５０８ａから読み出されたログ情報を第２の親機ラインＬ4bに送信するための親機用伝送インターフェース（以下、親機用コントローラ伝送Ｉ／Ｆという。）５０９とを有している。
【００１９】
このように構成された本発明の実施例による電気錠システムにおいて、以下、具体的な動作について説明する。
【００２０】
図１のブロック図において、（住戸の玄関ドアに設置された）予め施錠されている電気錠１を解錠させるにあたり、その解錠操作手段としては、以下の４種の解錠操作手段が該当する。
【００２１】
第１の解錠操作手段として、居住者が外出等で住戸内を不在とする前に解錠ボタン２のスイッチ２００を操作すると、このスイッチ２００に解錠ボタンラインＬ2を介して接続されている電気錠コントローラ５のスイッチ検出回路５０３が当該スイッチの操作があったことを検出し、その旨のスイッチ検出信号がコントローラＣＰＵ５００に送信される。
【００２２】
電気錠コントローラ５のコントローラＣＰＵ５００は、スイッチ検出回路５０３からのスイッチ検出信号が受信された日時をリアルタイムクロック５０７にて計時されている日時をもとに特定し、特定された解錠操作日時、ここでは、「２００４年５月６日、１３時００分」と、解錠操作手段として解錠ボタン２のスイッチ２００が操作された旨の情報、例えば、解錠ボタン２の機器名「解錠ボタン」とをメモリ５０８内のログ保存領域５０８ａに保存するとともに、電気錠１を解錠させるための解錠制御信号を生成する。なお、コントローラＣＰＵ５００にて生成された解錠制御信号は、電気錠用コントローラ伝送Ｉ／Ｆ５０２、電気錠ラインＬ1を介して電気錠１へと伝送される。
【００２３】
ここで、電気錠１の動作が正常であった場合には、予め施錠されている当該電気錠が解錠されることにより、居住者は、（正常に）解錠された電気錠１が設置されている玄関ドアを開成させて住戸外に出て外出することができる。また、（正常に）解錠された電気錠１は、解錠状態である旨の状態信号を生成する。この状態信号は、前述の解錠制御信号と逆の経路を介して電気錠コントローラ５のコントローラＣＰＵ５００へと伝送される。
【００２４】
一方、電気錠１の動作が異常であった場合には、当該電気錠は施錠状態が保持される。
【００２５】
また、電気錠コントローラ５のコントローラＣＰＵ５００は、前述のような解錠制御信号を送信した後から計時が開始されている所定の時間内において、電気錠１からの状態信号の受信の有無に応じて当該電気錠が正常に解錠されたこと、または解錠されなかったことを検出し、その旨の解錠可否情報をメモリ５０８内のログ保存領域５０８ａに保存することにより、このログ保存領域５０８ａには、スイッチ検出回路５０３からのスイッチ検出信号が受信された解錠操作日時「２００４年５月６日、１３時００分」、解錠ボタン２の機器名「解錠ボタン」および解錠可否情報からなるログ情報（以下、第１のログ情報という。）が保存されることになる。
【００２６】
次に、第２の解錠操作手段として、帰宅時等における居住者が暗証解錠装置３のキーボタン３０１を操作して電気錠１の解錠のための番号をキー入力すると、この操作を検出した解錠装置ＣＰＵ３００にてキーボタン３０１の操作情報であるキーボタン情報を付加させたキーボタン信号が生成される。このキーボタン信号は、解錠装置ＣＰＵ３００から解錠装置伝送Ｉ／Ｆ３０２、解錠装置ラインＬ3、電気錠コントローラ５の解錠装置用コントローラ伝送Ｉ／Ｆ５０４を介してコントローラＣＰＵ５００へと伝送される。
【００２７】
電気錠コントローラ５のコントローラＣＰＵ５００は、暗証解錠装置３からのキーボタン信号が受信された日時をリアルタイムクロック５０７にて計時されている日時をもとに特定し、特定された解錠操作日時、ここでは、「２００４年６月１日、２２時００分」をメモリ５０８内のログ保存領域５０８ａに保存するとともに、キーボタン信号に付加されているキーボタン情報と暗証番号スイッチ５０６の設定操作によりメモリ５０８内に予め保存されている所定の暗証番号、ここでは、「１５２３４」とを比較する。
【００２８】
また、前述の比較結果が「１５２３４」で一致した場合、電気錠コントローラ５のコントローラＣＰＵ５００は、電気錠１を解錠させるための解錠制御信号を生成するとともに、解錠操作手段として暗証解錠装置３のキーボタン３０２が操作された旨の情報、例えば、暗証解錠装置３の機器名「暗証解錠装置」を前述の解錠操作日時「２００４年６月１日、２２時００分」とともにメモリ５０８内のログ保存領域５０８ａに保存する。なお、コントローラＣＰＵ５００にて生成された解錠制御信号は、電気錠用コントローラ伝送Ｉ／Ｆ５０２、電気錠ラインＬ1を介して電気錠１へと伝送される。
【００２９】
ここで、電気錠１の動作が正常であった場合には、予め施錠されている当該電気錠が解錠されることにより、帰宅時等における居住者は、（正常に）解錠された電気錠１が設置されている玄関ドアを開成させて住戸内へと入り帰宅することができる。また、（正常に）解錠された電気錠１は、解錠状態である旨の状態信号を生成する。この状態信号は、前述の解錠制御信号と逆の経路を介して電気錠コントローラ５のコントローラＣＰＵ５００へと伝送される。
【００３０】
一方、電気錠１の動作が異常であった場合には、当該電気錠は施錠状態が保持される。
【００３１】
また、電気錠コントローラ５のコントローラＣＰＵ５００は、前述のような解錠制御信号を送信した後から計時されている所定の時間内において、電気錠１からの状態信号の受信の有無に応じて電気錠１が正常に解錠されたこと、または解錠されなかったことを検出し、その旨の解錠可否情報をメモリ５０８内のログ保存領域５０８ａに保存することにより、このログ保存領域５０８ａには、暗証解錠装置３からのキーボタン信号が受信された解錠操作日時「２００４年６月１日、２２時００分」、暗証解錠装置３の機器名「暗証解錠装置」および解錠可否情報からなるログ情報（以下、第２のログ情報という。）が保存されることになる。
【００３２】
さらに、前述の比較結果が一致しなかった場合、例えば、キーボタン情報が所定の暗証番号「１５２３４」とは異なる番号「１５２３５」であった場合、電気錠コントローラ５のコントローラＣＰＵ５００は、この番号「１５２３５」および解錠操作機能として暗証解錠装置３のキーボタン３０２が操作された旨の情報、例えば、暗証解錠装置３の機器名「暗証解錠装置」、電気錠１が解錠されなかった旨の情報を前述の解錠操作日時「２００４年６月１日、２２時００分」とともにログ情報（以下、第３の解錠ログ情報という。）としてメモリ５０８内のログ保存領域５０８ａに保存する。
【００３３】
次に、第３の解錠操作手段として、住戸内に在室中の居住者がインターホン親機４の親機解錠ボタン４０１を操作すると、この操作を検出した親機ＣＰＵ４００にて解錠信号が生成される。この解錠信号は、親機ＣＰＵ４００から親機制御Ｉ／Ｆ４０４、第１の親機ラインＬ4a、電気錠コントローラ５の親機用コントローラ制御Ｉ／Ｆ５０５を介してコントローラＣＰＵ５００へと伝送される。
【００３４】
電気錠コントローラ５のコントローラＣＰＵ５００は、インターホン親機４からの解錠信号が受信された日時をリアルタイムクロック５０７にて計時されている日時をもとに特定し、特定された解錠操作日時、ここでは、「２００４年６月１５日、１４時２０分」と、解錠操作手段としてインターホン親機４の親機解錠ボタン４０１が操作された旨の情報、例えば、インターホン親機４の機器名「インターホン親機」とをメモリ５０８内のログ保存領域５０８ａに保存するとともに、電気錠１を解錠させるための解錠制御信号を生成する。なお、コントローラＣＰＵ５００にて生成された解錠制御信号は、電気錠用コントローラ伝送Ｉ／Ｆ５０２、電気錠ラインＬ1を介して電気錠１へと伝送される。
【００３５】
ここで、電気錠１の動作が正常であった場合には、予め施錠されている当該電気錠が解錠されることにより、住宅内に在室中の居住者は、（正常に）解錠された電気錠１が設置されている玄関ドアを開成させ、例えば、図示しない玄関子機にて呼出操作を行った来訪者等を住戸内へと招き入れることができる。また、（正常に）解錠された電気錠１は、解錠状態である旨の状態信号を生成する。この状態信号は、前述の解錠制御信号と逆の経路を介して電気錠コントローラ５のコントローラＣＰＵ５００へと伝送される。
【００３６】
一方、電気錠１の動作が異常であった場合には、当該電気錠は施錠状態が保持される。
【００３７】
また、電気錠コントローラ５のコントローラＣＰＵ５００は、前述のような解錠制御信号を送信した後から計時が開始されている所定の時間内において、電気錠１からの状態信号の受信の有無に応じて当該電気錠が正常に解錠されたこと、または解錠されなかったことを検出し、その旨の解錠可否情報をメモリ５０８内のログ保存領域５０８ａに保存することにより、このログ保存領域５０８ａには、インターホン親機４からの解錠信号が受信された解錠操作日時「２００４年６月１５日、１４時２０分」、インターホン親機４の機器名「インターホン親機」および前述の解錠可否情報からなるログ情報（以下、第４のログ情報という。）が保存されることになる。
【００３８】
次に、第４の解錠操作手段として、住戸内に在室中の居住者が電気錠コントローラ５のコントローラ解錠ボタン５０１を操作すると、この操作を検出したコントローラＣＰＵ５００は、コントローラ解錠ボタン５０１が操作された日時をリアルタイムクロック５０７にて計時されている日時をもとに特定し、特定された解錠操作日時、ここでは「２００４年６月１６日、１８時１５分」と、解錠操作機能として当該電気錠コントローラのコントローラ解錠ボタン５０１が操作された旨の情報、例えば、電気錠コントローラ５の機器名「電気錠コントローラ」とをメモリ５０８内のログ保存領域５０８ａに保存するとともに、電気錠１を解錠させるための解錠制御信号を生成する。なお、コントローラＣＰＵ５００にて生成された解錠制御信号は、電気錠用コントローラ伝送Ｉ／Ｆ５０２、電気錠ラインＬ1を介して電気錠１へと伝送される。
【００３９】
ここで、電気錠１の動作が正常であった場合には、予め施錠されている当該電気錠が解錠されることにより、住宅内に在室中の居住者は、（正常に）解錠された電気錠１が設置されている玄関ドアを開成させることができる。また、（正常に）解錠された電気錠１は、解錠状態である旨の状態信号を生成する。この状態信号は、前述の解錠制御信号と逆の経路を介して電気錠コントローラ５のコントローラＣＰＵ５００へと伝送される。
【００４０】
一方、電気錠１の動作が異常であった場合には、当該電気錠は施錠状態が保持される。
【００４１】
また、電気錠コントローラ５のコントローラＣＰＵ５００は、前述のような解錠制御信号を送信した後から計時が開始されている所定の時間内において、電気錠１からの状態信号の受信の有無に応じて当該電気錠が正常に解錠されたこと、または解錠されなかったことを検出し、その旨の解錠可否情報をメモリ５０８内のログ保存領域５０８ａに保存することにより、このログ保存領域５０８ａには、コントローラ解錠ボタン５０１が操作された解錠操作日時「２００４年６月１６日、１８時１５分」、電気錠コントローラ５の機器名「電気錠コントローラ」および前述の解錠可否情報からなるログ情報（以下、第５のログ情報という。）が保存されることになる。
【００４２】
次に、前述のような第１〜第４の各解錠操作手段のうち、少なくとも１つの解錠操作手段が行われた後、ここでは、第１〜第４の各解錠操作手段が全て行われた後において、住戸内に在室中の居住者が電気錠コントローラ５の暗証番号スイッチ５０６を操作して電気錠１の解錠のための所定の暗証番号「１５２３４」とは異なる番号、例えば、「８８８８８」を設定した後、当該電気錠コントローラを再起動するように電源をオンにすると、コントローラＣＰＵ５００の制御によりメモリ５０８内のログ保存領域５０８ａに（予め）保存されていた全てのログ情報、すなわち、前述の第１、第２、第４、第５の各ログ情報、または前述の第１、第３、第４、第５の各ログ情報が読み出される。
【００４３】
ここで、電気錠コントローラ５のコントローラＣＰＵ５００の制御により、メモリ５０８内のログ保存領域５０８ａから前述の第１、第２、第４、第５の各ログ情報が読み出された場合、これらのログ情報は、適宜、ログ情報信号（以下、第１のログ情報信号という。）に信号処理された後、親機用コントローラ伝送Ｉ／Ｆ５０９、第２の親機ラインＬ4b、インターホン親機４の親機伝送Ｉ／Ｆ４０５を介して親機ＣＰＵ４００へと伝送される。
【００４４】
インターホン親機４の親機ＣＰＵ４００は、電気錠コントローラ５からの第１のログ情報信号を検出すると、モニタ駆動回路４０３を制御してモニタ４０２を表示可能な状態にすることにより、例えば、図２（ａ）の説明図に示すようなログ情報画面がモニタ４０２に表示される。住戸内に在室中の居住者は、モニタ４０２に表示された図２（ａ）の説明図に示すログ情報画面をもとに、電気錠１を解錠させるための周辺機器として解錠ボタン２（のスイッチ２００）、暗証解錠装置３（のキーボタン３００）、インターホン親機４（の親機解錠ボタン４０１）や電気錠コントローラ５（のコントローラ解錠ボタン５０１）にてそれぞれ行われた解錠操作の日時や、これらの解錠操作により電気錠１が解錠されたか否かの情報（正常に解錠された旨を「〇」で明示。）を（視覚を通じて）容易に確認できるばかりでなく、暗証解錠装置３のキーボタン３００にてキー入力された番号が「１５２３４」で所定の暗証番号と一致し、この解錠操作が正常な当該解錠操作であったことも併せて確認できる。
【００４５】
一方、電気錠コントローラ５のコントローラＣＰＵ５００の制御により、メモリ５０８内のログ保存領域５０８ａから前述の第１、第３、第４、第５の各ログ情報が読み出された場合、これらのログ情報は、適宜、ログ情報信号（以下、第２のログ情報信号という。）に信号処理された後、前述の第１のログ情報信号と同様な経路を介してインターホン親機４の親機ＣＰＵ４００へと伝送される。
【００４６】
インターホン親機４の親機ＣＰＵ４００は、電気錠コントローラ５からの第２のログ情報信号を検出すると、モニタ駆動回路４０３を制御してモニタ４０２を表示可能な状態にすることにより、例えば、図２（ｂ）の説明図に示すようなログ情報画面がモニタ４０２に表示される。住戸内に在室中の居住者は、モニタ４０２に表示された図２（ｂ）の説明図に示すログ情報画面をもとに、電気錠１を解錠させるための周辺機器として解錠ボタン２（のスイッチ２００）、暗証解錠装置３（のキーボタン３００）、インターホン親機４（の親機解錠ボタン４０１）や電気錠コントローラ５（のコントローラ解錠ボタン５０１）にてそれぞれ行われた解錠操作の日時や、これらの解錠操作により電気錠１が解錠されたか否か（正常に解錠された旨を「〇」、解錠されなかった旨を「×」でそれぞれ明示。）を（視覚を通じて）容易に確認できるばかりでなく、暗証解錠装置３のキーボタン３００にてキー入力された番号が「１５２３４」に一致せず「１５２３５」であり、この解錠操作が間違った当該解錠操作であったことも併せて確認できる。
【００４７】
次に、図２（ａ）、（ｂ）の各説明図に示すように、インターホン親機４のモニタ４０２に表示された各ログ情報情報のうち、自らが解錠操作を行っていないのにもかかわらず、ノイズ等の発生により電気錠コントローラ５が誤動作して電気錠１が解錠された旨のログ情報、先ず、２００４年５月６日の１３時００分に解錠ボタン２のスイッチ２００を操作しなかったのにもかかわらず電気錠１が解錠された旨を確認した住戸内に在室中の居住者は、その誤動作の原因が解錠ボタン２である、または解錠ボタン２のスイッチ２００から解錠ボタンラインＬ2、当該電気錠コントローラのスイッチ検出回路５０３を介してコントーラＣＰＵ５００までの通信ラインの間における何れかの箇所／部分であることを容易に特定でき、この特定をもとに早急な対応が可能となる。
【００４８】
また、前述と同様、自らが解錠操作を行っていないのにもかかわらず、ノイズ等の発生により電気錠コントローラ５が誤動作して電気錠１が解錠された旨のログ情報として、２００４年６月１日の２２時００分に暗証解錠装置３のキーボタン３０１を操作しなかったのにもかかわらず電気錠１が解錠された旨を確認した住戸内に在室中の居住者は、その誤動作の原因が暗証解錠装置３である、または暗証解錠装置３の解錠装置ＣＰＵ３００から解錠装置伝送Ｉ／Ｆ３０２、解錠装置ラインＬ3、当該電気錠コントローラの解錠装置用コントローラ伝送Ｉ／Ｆ５０４を介してコントーラＣＰＵ５００までの通信ラインの間における何れかの箇所／部分であることを容易に特定でき、この特定をもとに早急な対応が可能となる。
【００４９】
また、前述と同様、自らが解錠操作を行っていないのにもかかわらず、ノイズ等の発生により電気錠コントローラ５が誤動作して電気錠１が解錠された旨のログ情報として、２００４年６月１５日の１４時２０分にインターホン親機４の親機解錠ボタン４０１を操作しなかったのにもかかわらず電気錠１が解錠された旨を確認した住戸内に在室中の居住者は、その誤動作の原因がインターホン親機４である、またはインターホン親機４の親機ＣＰＵ４００から親機制御Ｉ／Ｆ４０２、第１の親機ラインＬ4a、当該電気錠コントローラの親機用コントローラ制御Ｉ／Ｆ５０５を介してコントーラＣＰＵ５００までの通信ラインの間における何れかの箇所／部分であることを容易に特定でき、この特定をもとに早急な対応が可能となる。
【００５０】
さらに、前述と同様、自らが解錠操作を行っていないのにもかかわらず、ノイズ等の発生により電気錠コントローラ５が誤動作して電気錠１が解錠された旨のログ情報として、２００４年６月１６日の１８時１５分に当該電気錠コントローラ３のキーボタン３０１を操作しなかったのにもかかわらず電気錠１が解錠された旨を確認した住戸内に在室中の居住者は、その誤動作の原因が電気錠コントローラ５であることを容易に特定でき、この特定をもとに早急な対応が可能となる。
【図面の簡単な説明】
【００５１】
【図１】図１は、本発明の実施例による電気錠システムの具体的な構成を示すブロック図である。
【図２】図２（ａ）、（ｂ）は、本発明の実施例による電気錠システムにおいて、インターホン親機のモニタに表示される画面の構成例をそれぞれ示す説明図である。
【符号の説明】
【００５２】
１……電気錠
２……解錠ボタン
２００……スイッチ
３……暗証解錠装置
３０１……キーボタン
４……インターホン親機
４０１……親機解錠ボタン（解錠ボタン）
４０２……モニタ
４０５……親機伝送Ｉ／Ｆ（親機伝送インターフェース）
５……電気錠コントローラ
５０１……コントローラ解錠ボタン（解錠ボタン）
５０３……スイッチ検出回路
５０４……解錠装置用コントローラ伝送Ｉ／Ｆ（暗証解錠装置用伝送インターフェース）
５０５……親機用コントローラ制御Ｉ／Ｆ（親機用制御インターフェース）
５０７……リアルタイムクロック
５０８……メモリ
５０８ａ……ログ保存領域
５０９……親機用コントローラ伝送Ｉ／Ｆ（親機用伝送インターフェース）
【図１】
2006152712.tif 000003
【図２】
2006152712.tif 000004